【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】  双方向テレビ番組ガイドが実装されたユーザテレビ機器にローカル広告が配信されるシステムであって、
グローバル広告とローカル広告とをデータストリームの一部として該ユーザテレビ機器に配信する手段であって、該ローカル広告は特定の地理的領域に特有のものである、手段と、
該双方向テレビ番組ガイドを用いて該データストリームを処理ことにより、該ローカル広告を抽出する手段と、
該双方向テレビ番組ガイドを用いて該ローカル広告を表示する手段と、
該双方向テレビ番組ガイドを用いて該ローカル広告を選択する機会をユーザに提供する手段と
を含む、システム。
【請求項２】  前記ローカル広告を配信する前記手段が、該ローカル広告をテレビ配信設備から前記ユーザテレビ機器に送信する手段をさらに含む、請求項１に記載のシステム。
【請求項３】  前記ローカル広告を配信する前記手段が、グローバルデータストリームの一部として、該ローカル広告をテレビ配信設備に送信する手段をさらに含む、請求項１に記載のシステム。
【請求項４】  前記ローカル広告を配信する前記手段が、グローバル広告を含むグローバルデータストリームの一部として、該ローカル広告をテレビ配信設備に送信する手段をさらに含む、請求項１に記載のシステム。
【請求項５】  前記ローカル広告を配信する前記手段が、
グローバルデータストリームの一部として、該ローカル広告をテレビ配信設備に送信する手段と、
該ローカル広告を該テレビ配信設備から前記ユーザテレビ機器に送信する手段と
をさらに含む、請求項１に記載のシステム。
【請求項６】  前記ローカル広告を配信する前記手段が、
グローバルデータストリームをテレビ配信設備に送信する手段と、
該テレビ配信設備において、該ローカル広告を該グローバルデータストリームに挿入する手段と、
グローバルデータストリームの一部として、該ローカル広告を該テレビ配信設備から前記ユーザテレビ機器に送信する手段と
をさらに含む、請求項１に記載のシステム。
【請求項７】  前記ローカル広告を配信する前記手段が、
グローバル広告を含むグローバルデータストリームをテレビ配信設備に送信する手段と、
該テレビ配信設備において、該ローカル広告を該グローバルデータストリームに挿入する手段と、
グローバルデータストリームの一部として、該ローカル広告を該テレビ配信設備から前記ユーザテレビ機器に送信する手段と
をさらに含む、請求項１に記載のシステム。
【請求項８】  前記ローカル広告を配信する前記手段が、
グローバル広告を含むグローバルデータストリームをテレビ配信設備に送信する手段と、
該テレビ配信設備において、該グローバル広告を上書きすることにより、該ローカル広告を該グローバルデータストリームに挿入する手段と、
該グローバルデータストリームの一部として、該ローカル広告を該テレビ配信設備から前記ユーザテレビ機器に送信する手段と
をさらに含む、請求項１に記載のシステム。
【請求項９】  前記ローカル広告を配信する前記手段が、
ローカル広告のために予約された帯域幅を含むグローバルデータストリームをテレビ配信設備に送信する手段と、
該テレビ配信設備において、該予約された帯域幅内の該グローバルデータストリームに該ローカル広告を挿入する手段と、
該グローバルデータストリームの一部として、該ローカル広告を該テレビ配信設備から前記ユーザテレビ機器に送信する手段と
をさらに含む、請求項１に記載のシステム。
【請求項１０】  前記ローカル広告を配信する前記手段が、
ローカル広告のために予約されたスロットを含むグローバルデータストリームをテレビ配信設備に送信する手段と、
該テレビ配信設備において、該予約されたスロット内の該グローバルデータストリームに該ローカル広告を挿入する手段と、
該グローバルデータストリームの一部として、該ローカル広告を該テレビ配信設備から前記ユーザテレビ機器に送信する手段と
をさらに含む、請求項１に記載のシステム。
【請求項１１】  前記ローカル広告を配信する前記手段が、
グローバル広告を含み、ローカル広告のために予約された帯域幅を有するグローバルデータストリームをテレビ配信設備に送信する手段と、
該テレビ配信設備において、該予約された帯域幅内の該グローバルデータストリームに該ローカル広告を挿入する手段と、
該グローバルデータストリームの一部として、該ローカル広告および該グローバル広告を該テレビ配信設備から前記ユーザテレビ機器に送信する手段と
をさらに含む、請求項１に記載のシステム。
【請求項１２】  前記ローカル広告を配信する前記手段が、
グローバル広告を含むグローバルデータストリームをテレビ配信設備に送信する手段と、
該グローバルデータストリームを該テレビ配信設備から前記ユーザテレビ機器に送信する手段と、
該グローバルデータストリームから分離したデータストリームとして、該ローカル広告を該テレビ配信設備から該ユーザテレビ機器に送信する手段と
をさらに含む、請求項１に記載のシステム。
【請求項１３】  前記ローカル広告を配信する前記手段が、
テレビ配信設備において、グローバル広告を送信する手段と、
ローカル広告を該テレビ配信設備に提供する手段と、
該グローバル広告および該ローカル広告を該テレビ配信設備から前記ユーザテレビ機器に送信する手段と
をさらに含む、請求項１に記載のシステム。
【請求項１４】  前記ローカル広告を配信する前記手段が、
グローバル広告および番組ガイド情報をテレビ配信設備に送信する手段と、
該テレビ配信設備において、ローカル広告を提供する手段と、
該番組ガイド情報、該グローバル広告、および該ローカル広告を該テレビ配信設備から前記ユーザテレビ機器に送信する手段と
をさらに含む、請求項１に記載のシステム。
【請求項１５】  番組ガイドデータおよびグローバル広告が主設備に格納され、
前記ローカル広告を配信する前記手段が、
該番組ガイドデータおよびグローバル広告を該主設備からテレビ配信設備に送信する手段と、
該テレビ配信設備において、ローカル広告を提供する手段と、
該番組ガイドデータ、該グローバル広告、および該ローカル広告を該テレビ配信設備から前記ユーザテレビ機器に送信する手段と
をさらに含む、請求項１に記載のシステム。
【請求項１６】  前記双方向テレビ番組ガイドを用いて前記ローカル広告を表示する前記手段が、
該双方向テレビ番組ガイドを用いたユーザによって選択され得るグローバル広告を表示する手段と、
該ユーザが該グローバル広告を選択するときは常に、該グローバル広告の内容に関連した内容を有する対応するローカル広告を表示する手段と
をさらに含む、請求項１に記載のシステム。
【請求項１７】  前記双方向テレビ番組ガイドを用いて前記ローカル広告を表示する前記手段が、
該双方向テレビ番組ガイドを用いたユーザによって選択され得るグローバル広告を表示する手段と、
該ユーザが該グローバル広告を選択するときは常に、対応する全画面ローカル広告を表示する手段と
をさらに含む、請求項１に記載のシステム。
【請求項１８】  前記双方向テレビ番組ガイドを用いて前記ローカル広告を表示する前記手段が、
該双方向テレビ番組ガイドを用いてグローバル広告を表示する手段と、
該グローバル広告および該ローカル広告の表示を繰り返す手段と
をさらに含む、請求項１に記載のシステム。
【請求項１９】  前記双方向テレビ番組ガイドを用いて前記ローカル広告を表示する前記手段が、
該双方向テレビ番組ガイドを用いてグローバルバナー広告を表示する手段と、
該グローバルバナー広告および該ローカル広告の表示を繰り返す手段と
をさらに含む、請求項１に記載のシステム。
【請求項２０】  前記双方向テレビ番組ガイドを用いてグローバル広告を表示する手段をさらに含む、請求項１に記載のシステム。
【請求項２１】  前記双方向テレビ番組ガイドを用いて番組リスト項目領域を表示する手段をさらに含む、請求項１に記載のシステム。
【請求項２２】  前記双方向テレビ番組ガイドを用いてグローバル広告を表示する手段と、
番組リスト項目領域を表示する手段と
をさらに含む、請求項１に記載のシステム。
【請求項２３】  前記ローカル広告を配信する前記手段が、
グローバル広告および番組ガイド情報をテレビ配信設備に送信する手段と、
該テレビ配信設備において、ローカル広告を提供する手段と、
該番組ガイド情報、該グローバル広告、および該ローカル広告を該テレビ配信設備から前記ユーザテレビ機器に送信する手段と、
前記双方向テレビ番組ガイドを用いて該グローバル広告を表示する手段と、
該双方向テレビ番組ガイドを用いて該番組ガイド情報を含む番組リスト項目領域を表示する手段と
をさらに含む、請求項１に記載のシステム。
【請求項２４】  双方向テレビ番組ガイドが実装されたユーザテレビ機器に広告が配信されるシステムであって、
該広告を該ユーザテレビ機器に配信する手段と、
該広告の内容に基づいて、該双方向テレビ番組ガイドを用いることにより、該広告の一部のみを該ユーザテレビ機器に表示する手段と
を含む、システム。
【請求項２５】  前記広告の内容を示す内容タグを有する広告を提供する手段をさらに含む、請求項２４に記載のシステム。
【請求項２６】  前記広告の内容を示す内容タグを有する広告を提供する手段と、
所望の内容タグを有する広告のみを表示する手段と
をさらに含む、請求項２４に記載のシステム。
【請求項２７】  前記広告のうちのどれが表示されるかを決定するために用いられるブロッキング基準を選択する手段をさらに含む、請求項２４に記載のシステム。
【請求項２８】  内容タグを有する広告を配信する手段をさらに含む、請求項２４に記載のシステム。
【請求項２９】  所望されない内容タグを有する広告をブロックする手段をさらに含む、請求項２４に記載のシステム。
【請求項３０】  内容に基づいて表示されない広告の代わりに、情報を表示する手段をさらに含む、請求項２４に記載のシステム。
【請求項３１】  内容に基づいて表示されない広告の代わりに、バックアップ広告を表示する手段をさらに含む、請求項２４に記載のシステム。
【請求項３２】  双方向テレビ番組ガイドが実装されたユーザテレビ機器に広告を配信するために、テレビ配信設備が用いられるシステムであって、
該広告を該テレビ配信設備に配信する手段と、
該テレビ配信設備内で該広告の少なくとも一部をタイムシフトする手段と、
該双方向テレビ番組ガイドを用いて、タイムシフトされた広告を表示する手段と
を含む、システム。
【請求項３３】  双方向テレビ番組ガイドが実装されたユーザテレビ機器に広告を配信するために、テレビ配信設備が用いられるシステムであって、
該広告に広告利用情報を提供する手段と、
該広告利用情報に基づいて、該テレビ配信設備における広告利用要綱を適用する手段と
を含む、システム。
【請求項３４】  前記広告に広告利用情報を提供する手段が、主設備において、利用要綱フラグを該広告に提供する手段を含む、請求項３３に記載のシステム。
【請求項３５】  前記広告利用要綱を適用する手段が、要綱フラグにしたがって、広告を配信および表示する手段を含む、請求項３３に記載のシステム。
【請求項３６】  前記広告に広告利用情報を提供する手段が、広告利用要綱メッセージを前記テレビ配信設備に配信する手段を含む、請求項３３に記載のシステム。
【請求項３７】  前記広告利用要綱を適用する手段が、広告利用要綱メッセージにしたがって、広告を配信および表示する手段を含む、請求項３３に記載のシステム。